(57)【要約】【課題】操作性を向上できる分析装置を提供する。【解決手段】分光光度計１は、操作表示部９と、記憶部７０と、制御部８０とを備えている。制御部８０は、表示処理部８０１、記憶処理部８０２、分析設定処理部８０３及び分析処理部８０４などとして機能する。分光光度計１において電源がオンされると、表示処理部８０１の制御により、モード選択画面１０が操作表示部９に表示される。ユーザにより、モード選択画面１０においていずれかの測定モードが選択されると、その測定モードが選択された回数がモード選択情報７０２として記憶部７０に記憶される。そして、次回の起動時において、表示処理部８０１は、モード選択情報７０２を読み出し、モード選択情報７０２に基づいて、モード選択画面１０の表示態様を変化させる。そのため、ユーザの操作によらずに自動的にモード選択画面１０を変化させることができる。【選択図】  図２
2019152571.tif 000002
【特許請求の範囲】
【請求項１】
複数の測定モードで分析を行うことができる分析装置であって、
前記分析装置の起動時に、前記複数の測定モードの中からいずれかの測定モードを選択するためのモード選択画面を表示させる表示処理部と、
前記複数の測定モードの中から選択された測定モードで分析を行うように設定する分析設定処理部と、
前記複数の測定モードがそれぞれ選択された回数を記憶する記憶部とを備え、
前記表示処理部は、前記記憶部に記憶されている各測定モードが選択された回数に基づいて、前記モード選択画面の表示態様を変化させることを特徴とする分析装置。
【請求項２】
前記表示処理部は、各測定モードが連続で選択された回数に基づいて、前記モード選択画面の表示態様を変化させることを特徴とする請求項１に記載の分析装置。
【請求項３】
前記表示処理部は、いずれかの測定モードが連続で選択された回数が第１閾値を超えた場合に、前記モード選択画面を前記分析装置の次回の起動時に表示させず、
前記分析設定処理部は、連続で選択された回数が前記第１閾値を超えた測定モードで分析を行うように自動設定を行うことを特徴とする請求項２に記載の分析装置。
【請求項４】
前記表示処理部は、連続で選択された回数が前記第１閾値を超えた測定モードで分析を行うように自動設定を行うか否かの確認画面を表示させ、
前記分析設定処理部は、前記確認画面において自動設定を行うことが選択された場合にのみ自動設定を行うことを特徴とする請求項３に記載の分析装置。
【請求項５】
前記表示処理部は、いずれかの測定モードが連続で選択された回数が第１閾値を超えた場合に、その測定モードを前記モード選択画面において強調表示させることを特徴とする請求項２に記載の分析装置。
【請求項６】
前記表示処理部は、各測定モードが選択された累積回数に基づいて、前記モード選択画面の表示態様を変化させることを特徴とする請求項１に記載の分析装置。
【請求項７】
前記表示処理部は、いずれかの測定モードが選択された累積回数が第２閾値を超えた場合に、前記モード選択画面を前記分析装置の次回の起動時に表示させず、
前記分析設定処理部は、選択された累積回数が最も多い測定モードで分析を行うように自動設定を行うことを特徴とする請求項６に記載の分析装置。
【請求項８】
前記表示処理部は、選択された累積回数が最も多い測定モードで分析を行うように自動設定を行うか否かの確認画面を表示させ、
前記分析設定処理部は、前記確認画面において自動設定を行うことが選択された場合にのみ自動設定を行うことを特徴とする請求項７に記載の分析装置。
【請求項９】
前記表示処理部は、選択された累積回数が他の測定モードよりも多い測定モードを前記モード選択画面において強調表示させることを特徴とする請求項６に記載の分析装置。
【請求項１０】
前記表示処理部は、所定の期間ごとに各測定モードが選択された回数を確認し、各期間において各測定モードが選択された回数に基づいて、前記モード選択画面の表示態様を変化させることを特徴とする請求項１に記載の分析装置。
【請求項１１】
前記表示処理部は、各期間においていずれかの測定モードが選択された回数が第３閾値を超えた場合に、次の期間で前記モード選択画面を前記分析装置の起動時に表示させず、
前記分析設定処理部は、各期間において選択された回数が最も多い測定モードで次の期間の分析を行うように自動設定を行うことを特徴とする請求項１０に記載の分析装置。
【請求項１２】
前記表示処理部は、各期間において選択された回数が最も多い測定モードで次の期間の分析を行うように自動設定を行うか否かの確認画面を表示させ、
前記分析設定処理部は、前記確認画面において自動設定を行うことが選択された場合にのみ自動設定を行うことを特徴とする請求項１１に記載の分析装置。
【請求項１３】
前記表示処理部は、各期間において選択された回数が他の測定モードよりも多い測定モードを次の期間の前記モード選択画面において強調表示させることを特徴とする請求項１０に記載の分析装置。
【請求項１４】
前記記憶部は、前記モード選択画面で選択された測定モードにおける各測定条件の選択回数を記憶し、
前記表示処理部は、前記記憶部に記憶されている各測定条件の選択回数に基づいて表示を行うことを特徴とする請求項１〜１３のいずれか一項に記載の分析装置。
【発明の詳細な説明】
【技術分野】
【０００１】
本発明は、複数の測定モードで分析を行うことができる分析装置に関するものである。
【背景技術】
【０００２】
従来より、複数の測定モードのうちからいずれかの測定モード（分析モード）を選択し、選択した測定モードで分析を行う分析装置が利用されている。分析装置は、通常、表示部を備えており、起動時には、この表示部に測定モードを選択するための選択画面が表示される。そして、ユーザは、表示部に表示された選択画面を確認しながら、所望する測定モードを選択する（例えば、下記特許文献１参照）。
【０００３】
例えば、分光光度計では、起動時において、波長を１波長で固定した測定モードや、波長を多波長で固定した測定モード、一定の波長域で波長を連続的に変化させる測定モードなど、様々な測定モードが選択画面で表示される。そして、ユーザにより所望する測定モードが選択されると、その測定モードの基本画面が表示部に表示される。ユーザは、この基本画面を確認しながら、分析動作を開始させるための操作を行う。
【先行技術文献】
【特許文献】
【０００４】
【特許文献１】特開２０１４−１０２１４６号公報
【発明の概要】
【発明が解決しようとする課題】
【０００５】
上記した装置では、ユーザの操作が煩雑となってしまう。そこで、上記した分光光度計において、ユーザの操作により測定モードの基本画面を起動時に表示させる設定を行うことできる構成とすることが考えられる。この場合、起動時における選択操作を省くことができ、ユーザの操作を簡易化できる。
【０００６】
しかし、装置によっては、操作に不慣れなユーザが分析を行うこともあり、設定操作自体が煩雑である場合もある。特に分光光度計は、簡易操作などに使用されることも多く、装置や測定の専門知識を持たないユーザにより操作されることがある。この場合、設定操作自体が煩雑になってしまう。
本発明は、上記実情に鑑みてなされたものであり、操作性を向上できる分析装置を提供することを目的とする。
【課題を解決するための手段】
【０００７】
（１）本発明に係る分析装置は、複数の測定モードで分析を行うことができる分析装置である。前記分析装置は、表示処理部と、分析設定処理部と、記憶部とを備える。前記表示処理部は、前記分析装置の起動時に、前記複数の測定モードの中からいずれかの測定モードを選択するためのモード選択画面を表示させる。前記分析設定処理部は、前記複数の測定モードの中から選択された測定モードで分析を行うように設定する。前記記憶部は、前記複数の測定モードがそれぞれ選択された回数を記憶する。前記表示処理部は、前記記憶部に記憶されている各測定モードが選択された回数に基づいて、前記モード選択画面の表示態様を変化させる。
【０００８】
このような構成によれば、モード選択画面が表示された状態で、ユーザによりいずれかの測定モードが選択されると、その測定モードが選択された回数が記憶部に記憶される。表示処理部は、記憶部に記憶されている測定モードの選択回数に基づいてモード選択画面の表示態様を変化させる。
【０００９】
そのため、ユーザの操作によらずに自動的にモード選択画面を変化させることができる。すなわち、モード選択画面を変化させるためのユーザによる操作を省くことができる。
その結果、分析装置における操作性を向上させることができる。
【００１０】
（２）また、前記表示処理部は、各測定モードが連続で選択された回数に基づいて、前記モード選択画面の表示態様を変化させてもよい。
【００１１】
このような構成によれば、分析装置において、各測定モードの使用頻度に応じてモード選択画面の態様を変化させることができる。
【００１２】
（３）また、前記表示処理部は、いずれかの測定モードが連続で選択された回数が第１閾値を超えた場合に、前記モード選択画面を前記分析装置の次回の起動時に表示させなくてもよい。前記分析設定処理部は、連続で選択された回数が前記第１閾値を超えた測定モードで分析を行うように自動設定を行ってもよい。
【００１３】
このような構成によれば、ユーザによりいずれかの測定モードが連続で選択され、その選択回数が第１閾値を超えた場合には、その測定モードで分析を行うように自動設定される。また、次回の起動時にモード選択画面が表示されない。
【００１４】
そのため、使用頻度の高い測定モードで分析を行う設定を自動的に行うことができる。また、次回の起動時において、モード選択画面を表示させない設定を自動的に行うことができる。
その結果、設定のためのユーザの一連の操作を省くことができ、操作性を向上できる。
【００１５】
（４）また、前記表示処理部は、連続で選択された回数が前記第１閾値を超えた測定モードで分析を行うように自動設定を行うか否かの確認画面を表示させてもよい。前記分析設定処理部は、前記確認画面において自動設定を行うことが選択された場合にのみ自動設定を行ってもよい。
【００１６】
このような構成によれば、確認画面を表示させることで、ユーザに対して使用頻度の高い測定モードへの自動設定を行うか否かを選択させることができる。
そのため、ユーザの意思に反して自動設定が行われることを防止できる。
【００１７】
（５）また、前記表示処理部は、いずれかの測定モードが連続で選択された回数が第１閾値を超えた場合に、その測定モードを前記モード選択画面において強調表示させてもよい。
【００１８】
このような構成によれば、ユーザに対して、モード選択画面において使用頻度の高い測定モードを認識させることができる。
【００１９】
（６）また、前記表示処理部は、各測定モードが選択された累積回数に基づいて、前記モード選択画面の表示態様を変化させてもよい。
【００２０】
このような構成によれば、分析装置において、各測定モードの累積での使用頻度に応じてモード選択画面の態様を変化させることができる。
【００２１】
（７）また、前記表示処理部は、いずれかの測定モードが選択された累積回数が第２閾値を超えた場合に、前記モード選択画面を前記分析装置の次回の起動時に表示させなくてもよい。前記分析設定処理部は、選択された累積回数が最も多い測定モードで分析を行うように自動設定を行ってもよい。
【００２２】
このような構成によれば、ユーザによりいずれかの測定モードが選択され、その累積回数が第２閾値を超えた場合には、累積回数が最も多い測定モードで分析を行うように自動設定される。また、次回の起動時にモード選択画面が表示されない。
【００２３】
そのため、累積での使用頻度の高い測定モードで分析を行う設定を自動的に行うことができる。また、次回の起動時において、モード選択画面を表示させない設定を自動的に行うことができる。
その結果、設定のためのユーザの一連の操作を省くことができ、操作性を向上できる。
【００２４】
（８）また、前記表示処理部は、選択された累積回数が最も多い測定モードで分析を行うように自動設定を行うか否かの確認画面を表示させてもよい。前記分析設定処理部は、前記確認画面において自動設定を行うことが選択された場合にのみ自動設定を行ってもよい。
【００２５】
このような構成によれば、確認画面を表示させることで、ユーザに対して累積での使用頻度の高い測定モードへの自動設定を行うか否かを選択させることができる。
そのため、ユーザの意思に反して自動設定が行われることを防止できる。
【００２６】
（９）また、前記表示処理部は、選択された累積回数が他の測定モードよりも多い測定モードを前記モード選択画面において強調表示させてもよい。
【００２７】
このような構成によれば、ユーザに対して、モード選択画面において累積での使用頻度の高い測定モードを認識させることができる。
【００２８】
（１０）また、前記表示処理部は、所定の期間ごとに各測定モードが選択された回数を確認し、各期間において各測定モードが選択された回数に基づいて、前記モード選択画面の表示態様を変化させてもよい。
【００２９】
このような構成によれば、分析装置において、所定の期間における測定モードの使用頻度に応じてモード選択画面の態様を変化させることができる。
【００３０】
（１１）また、前記表示処理部は、各期間においていずれかの測定モードが選択された回数が第３閾値を超えた場合に、次の期間で前記モード選択画面を前記分析装置の起動時に表示させなくてもよい。前記分析設定処理部は、所定の期間において選択された回数が最も多い測定モードで次の期間の分析を行うように自動設定を行ってもよい。
【００３１】
このような構成によれば、所定の期間においてユーザによりいずれかの測定モードが選択され、その回数が第３閾値を超えた場合には、選択回数が最も多い測定モードで分析を行うように自動設定される。また、次の期間において起動時にモード選択画面が表示されない。
【００３２】
そのため、使用頻度の高い測定モードで分析を行う設定を自動的に行うことができる。また、次の期間での起動時において、モード選択画面を表示させない設定を自動的に行うことができる。
その結果、設定のためのユーザの一連の操作を省くことができ、操作性を向上できる。
【００３３】
（１２）また、前記表示処理部は、各期間において選択された回数が最も多い測定モードで次の期間の分析を行うように自動設定を行うか否かの確認画面を表示させてもよい。前記分析設定処理部は、前記確認画面において自動設定を行うことが選択された場合にのみ自動設定を行ってもよい。
【００３４】
このような構成によれば、確認画面を表示させることで、ユーザに対して各期間での使用頻度の高い測定モードへの自動設定を行うか否かを選択させることができる。
そのため、ユーザの意思に反して自動設定が行われることを防止できる。
【００３５】
（１３）また、前記表示処理部は、各期間において選択された回数が他の測定モードよりも多い測定モードを次の期間の前記モード選択画面において強調表示させてもよい。
【００３６】
このような構成によれば、ユーザに対して、モード選択画面において各期間での使用頻度の高い測定モードを認識させることができる。
【００３７】
（１４）また、前記記憶部は、前記モード選択画面で選択された測定モードにおける各測定条件の選択回数を記憶してもよい。前記表示処理部は、前記記憶部に記憶されている各測定条件の選択回数に基づいて表示を行ってもよい。
【００３８】
このような構成によれば、ユーザの操作によらずに自動的に測定条件に関する表示内容を表示させることができる。すなわち、測定条件に関する表示内容を表示させるためのユーザによる操作を省くことができる。
その結果、分析装置における操作性を向上させることができる。
【発明の効果】
【００３９】
本発明によれば、モード選択画面が表示された状態で、ユーザによりいずれかの測定モードが選択されると、その測定モードが選択された回数が記憶部に記憶される。表示処理部は、記憶部に記憶されている測定モードの選択回数に基づいてモード選択画面の表示態様を変化させる。そのため、ユーザの操作によらずに自動的にモード選択画面を変化させることができる。その結果、分析装置における操作性を向上させることができる。
【図面の簡単な説明】
【００４０】
【図１】本発明の第１実施形態に係る分光光度計の構成例を示した概略図である。
【図２】分光光度計の制御部、及び、その周辺の部材の電気的構成を示したブロック図である。
【図３】分光光度計の操作表示部で表示される表示画面を示した図であって、モード選択画面を示している。
【図４】分光光度計の制御部における制御動作を示したフローチャートである。
【図５】分光光度計の操作表示部で表示される表示画面を示した図であって、フォトメトリック測定モードでの基本画面を示している。
【図６】分光光度計の操作表示部で表示される表示画面を示した図であって、フォトメトリック測定モードでの基本画面において確認画面が表示される状態を示している。
【図７】分光光度計の操作表示部で表示される表示画面を示した図であって、定量測定モードでの基本画面を示している。
【図８】分光光度計の操作表示部で表示される表示画面を示した図であって、定量測定モードでの基本画面において確認画面が表示される状態を示している。
【図９】本発明の第２実施形態に係る分光光度計における操作表示部の表示画面を示した図であって、モード選択画面において強調表示が行われる状態を示している。
【図１０】本発明の第３実施形態に係る分光光度計における操作表示部の表示画面を示した図であって、フォトメトリック測定モードでの基本画面において確認画面が表示される状態を示している。
【図１１】本発明の第４実施形態に係る分光光度計における操作表示部の表示画面を示した図であって、フォトメトリック測定モードでの基本画面において確認画面が表示される状態を示している。
【発明を実施するための形態】
【００４１】
１．分光光度計の全体構成
図１は、本発明の第１実施形態に係る分光光度計１の構成例を示した概略図である。分光光度計１は、紫外領域、可視領域及び近赤外領域の光（測定光）を用いる分光光度計である。分光光度計１は、光源部２と、光源切替部３と、分光器４と、試料設置部５と、光検出器６とを備えている。
【００４２】
光源部２は、測定光を出射するためのものであって、第１光源２１と、第２光源２２とを備えている。
第１光源２１は、重水素ランプ（Ｄ２ランプ）からなる。第２光源２２は、タングステンランプ（ＷＩランプ）からなる。第１光源２１と第２光源２２とは、互いに間隔を隔てて配置されている。
【００４３】
光源切替部３は、光源部２と間隔を隔てて配置されている。光源切替部３は、第１光源２１又は第２光源２２からの光を選択的に切り替えて第１検出器６１及び第２検出器６２に入射させるためのものである。光源切替部３は、回転部３１と、切替ミラー３２とを備えている。
【００４４】
回転部３１は、円板状に形成されている。回転部３１は、軸線Ｌを中心として回動可能に構成されている。回転部３１は、駆動力が付与されることにより、所定の回転角度で回転する。
【００４５】
切替ミラー３２は、回転部３１上に設けられている。切替ミラー３２は、その反射面３２１が凹状に形成される凹面鏡である。切替ミラー３２の反射面３２１は、光源部２と対向している。
【００４６】
分光器４は、光源部２に対して、光源切替部３と反対側に配置されている。分光器４は、光源部２からの光を分光するためのものである。図示しないが、分光器４には、不要な高次光をカットするためのフィルタ、特定波長の光を取り出すための回折格子、及び、光を反射させるためのミラーなどが設けられており、さらに、光を通過させるためのスリットが形成されている。
【００４７】
試料設置部５は、試料を設置するためのものである。この例では、試料設置部５には、２つの試料（測定用試料及び参照用試料）が設置される。試料設置部５は、第１試料室５１と、第２試料室５２と、試料セル５３，５４とを備えている。
【００４８】
第１試料室５１及び第２試料室５２のそれぞれは、分光器４と間隔を隔てて配置されている。第１試料室５１内には、試料セル５３が配置されており、第２試料室５２内には、試料セル５４が配置されている。試料セル５３は、測定用試料を保持しており、試料セル５４は、参照用試料を保持している（図示せず）。第１試料室５１及び第２試料室５２のそれぞれには、図示しないが、光を通過させるためのスリットが形成されている。
【００４９】
分光器４と第１試料室５１との間には、ハーフミラー７が配置されている。ハーフミラー７は、入射する光の一部を透過しつつ、入射する光の残りを反射することが可能な鏡である。ハーフミラー７と間隔を隔てた位置には、ミラー８が配置されている。ミラー８は、第２試料室５２に対向している。
【００５０】
光検出器６は、試料設置部５の試料に照射された後の光を検出するためのものである。この例では、光検出器６は、第１検出器６１と、第２検出器６２とを備えている。
【００５１】
第１検出器６１は、第１試料室５１と間隔を隔てて配置されている。第２検出器６２は、第２試料室５２と間隔を隔てて配置されている。第１検出器６１及び第２検出器６２のそれぞれは、入射する光を検出するとともに、光の強度に応じた信号を出力する。
【００５２】
分光光度計１は、いわゆるダブルビーム方式の分光光度計であって、光源部２から出射された光が、試料設置部５の測定用試料及び参照用試料のそれぞれに照射される。また、光源部２からは、第１光源２１及び第２光源２２のうちの一方からの光が選択されて分光器４に入射する。
【００５３】
具体的には、分光光度計１を用いて分析を行う場合には、まず、回転部３１が回転されて、切替ミラー３２の反射面３２１の角度が調整される。そして、第１光源２１及び第２光源２２のうち、いずれか一方からの光が選択的に反射されて、分光器４に入射する。
【００５４】
分光器４に入射した光は、分光器４内の回折格子によって各波長の光に分光される。そして、分光された特定の波長の光のみが、分光器４から出射される。また、分光器４内において、光は、複数のミラーで反射を繰り返して分光器４外に出射される。分光器４外に出射された光の一部は、ハーフミラー７を透過して第１試料室５１に入射し、試料セル５３（測定用試料）を照射する。また、分光器４外に出射されてハーフミラー７で反射された光は（残りの光は）、ミラー８で反射された後、第２試料室５２に入射し、試料セル５４（参照用試料）を照射する。
【００５５】
そして、試料セル５３（測定用試料）で透過又は反射した後の光が、第１検出器６１によって検出される。また、試料セル５４（参照用試料）で透過又は反射した後の光が、第２検出器６２によって検出される。
【００５６】
第１検出器６１及び第２検出器６２のそれぞれは、検出した光に応じて検出信号を出力する。分光光度計１では、第１検出器６１及び第２検出器６２の検出信号に基づいて、光のゆらぎの影響を排除した上で、測定用試料に関するスペクトルが作成される。そして、作成されたスペクトルに基づいて、測定用試料の分析が行われる。
【００５７】
２．制御部及びその周辺の部材の電気的構成
図２は、分光光度計１の制御部８０、及び、その周辺の部材の電気的構成を示したブロック図である。
分光光度計１は、上記した光源切替部３に加えて、操作表示部９、記憶部７０及び制御部８０などを電気的構成として備えている。
操作表示部９は、例えば、タッチパネルにより構成される。図示しないが、操作表示部９は、分光光度計１の筐体上に設けられている。
【００５８】
記憶部７０は、ＲＯＭ（Read Only Memory）、ＲＡＭ（Random Access Memory）及びハードディスクなどにより構成されている。記憶部７０には、測定モード情報７０１、モード選択情報７０２及び条件選択情報７０３が記憶されている。
【００５９】
測定モード情報７０１は、分光光度計１における複数の測定モードに関する情報である。具体的には、分光光度計１は、複数の測定モードを有しており、これらの測定モードから１つの測定モードを選択し、選択した測定モードで測定を行うように構成されている。測定モード情報７０１は、各測定モードのときの各部（光源切替部３及び分光器４など）の動作条件を表す情報である。
【００６０】
モード選択情報７０２は、ユーザにより選択された測定モードを表す情報である。具体的には、モード選択情報７０２は、各測定モードが連続で選択された回数を表す情報を含んでいる。
条件選択情報７０３は、ユーザによる各測定モードでの各測定条件の選択回数を表す情報である。
【００６１】
制御部８０は、例えば、ＣＰＵ（Central Processing Unit）を含む構成である。制御部８０には、光源切替部３、操作表示部９及び記憶部７０などの各部が電気的に接続されている。制御部８０は、ＣＰＵがプログラムを実行することにより、表示処理部８０１、記憶処理部８０２、分析設定処理部８０３及び分析処理部８０４などとして機能する。
【００６２】
表示処理部８０１は、記憶部７０に記憶されている情報に基づいて、操作表示部９の表示内容（表示態様）を変化させる処理を行う。また、表示処理部８０１は、ユーザによる操作表示部９の操作に応じて、操作表示部９の表示内容（表示態様）を変化させる処理を行う。
【００６３】
記憶処理部８０２は、ユーザによる操作表示部９の操作に応じて、記憶部７０に情報を記憶させる処理を行う。
分析設定処理部８０３は、ユーザによる操作表示部９の操作、及び、記憶部７０に記憶されている情報に基づいて、所定の測定モードで分析を行うための設定を行う処理をする。
【００６４】
分析処理部８０４は、分析設定処理部８０３による設定内容に基づいて、光源切替部３などの動作を制御する処理を行う。
分光光度計１では、測定モード情報７０１は、予め記憶部７０に記憶されている。また、モード選択情報７０２及び条件選択情報７０３のそれぞれは、後述するように、ユーザの操作により随時記憶部７０に記憶される。
【００６５】
３．表示操作部の表示態様、及び、制御部の制御動作
図３は、分光光度計１の操作表示部９で表示される表示画面を示した図であって、モード選択画面１０を示している。
【００６６】
分光光度計１は、複数（この例では、５個）の測定モードを有している。分光光度計１では、その複数の測定モードのうちのいずれかの測定モードで測定を行うことができる。分光光度計１では、電源スイッチがオンされると、操作表示部９において、図３に示すモード選択画面１０が表示される。モード選択画面１０では、分光光度計１で実施可能な複数の測定モードを選択するためのボタンが表示されている。
【００６７】
具体的には、モード選択画面１０には、フォトメトリック測定ボタン１０１と、スペクトル測定ボタン１０２と、定量測定ボタン１０３と、タイムコース測定ボタン１０４と、バイオメソッド測定ボタン１０５とが表示されている。
【００６８】
フォトメトリック測定ボタン１０１は、分光光度計１においてフォトメトリック測定モードを開始するためのボタンである。フォトメトリック測定モードでは、一定の波長（一波長又は多波長）の光が用いられて測定が行われる。具体的には、フォトメトリック測定モードでは、光源切替部３の回転部３１の位置、及び、分光器４の回折格子の位置が固定され、一定の波長（一波長又は多波長）の光が用いられて測定が行われる。
【００６９】
スペクトル測定ボタン１０２は、分光光度計１においてスペクトル測定モードを開始するためのボタンである。スペクトル測定モードでは、分光器４の回折格子の位置を連続的に変化させて、測定光の波長を変化させながら測定が行われる。
【００７０】
定量測定ボタン１０３は、分光光度計１において、定量測定モードを開始するためのボタンである。定量測定モードでは、予め濃度が既知である試料の検量線を用いて、濃度が未知のサンプルの測定が行われる。
【００７１】
タイムコース測定ボタン１０４は、分光光度計１において、タイムコース測定を開始するためのボタンである。タイムコース測定モードでは、一定の期間において、所定の時間間隔でサンプルの測定が行われる。
【００７２】
バイオメソッド測定ボタン１０５は、分光光度計１において、バイオメソッド測定を開始するためのボタンである。バイオメソッド測定では、サンプルに含まれるたんぱく質などの量が測定される。
【００７３】
図４は、分光光度計１の制御部８０における制御動作を示したフローチャートである。
まず、分光光度計１において電源がオンされると（分光光度計１の起動時には）、表示処理部８０１の制御により、モード選択画面１０が操作表示部９に表示される（ステップＳ１０１）。そして、ユーザは、操作表示部９に表示されたモード選択画面１０を確認しながら、所望する測定モードのボタンをタッチする。
【００７４】
ユーザによって、モード選択画面１０において測定モードのボタンがタッチされると（ステップＳ１０２でＹＥＳ）、表示処理部８０１は、選択された測定モードの基本画面を操作表示部９に表示させる（ステップＳ１０３）。なお、この例では、ユーザにより、モード選択画面１０においてフォトメトリック測定ボタン１０１が選択されたとして説明する。
【００７５】
図５は、分光光度計１の操作表示部９で表示される表示画面を示した図であって、フォトメトリック測定モードでの基本画面を示している。分光光度計１において、モード選択画面１０でフォトメトリック測定ボタン１０１が選択されると（図３参照）、分光光度計１がフォトメトリック測定モードとなり、図５に示すフォトメトリック測定画面１１が基本画面として表示される。
【００７６】
フォトメトリック測定画面１１では、パラメータ設定領域１１１と、モード選択ボタン１１２と、測定ボタン１１３とが表示されている。
パラメータ設定領域１１１は、フォトメトリック測定モードにおける各種パラメータを設定するための領域である。
【００７７】
モード選択ボタン１１２は、モード選択画面１０を表示させる（モード選択画面１０に戻る）ためのボタンである。
測定ボタン１１３は、フォトメトリック測定モードでの測定を開始するためのボタンである。
【００７８】
ユーザは、まず、パラメータ設定領域１１１を確認しながら、フォトメトリック測定モードでの測定に必要となるパラメータを設定する。具体的には、ユーザは、パラメータ設定領域１１１をタッチして、測定の際の光の波長などを設定する。
【００７９】
分析設定処理部８０３は、測定モード情報７０１からフォトメトリック測定モードでの測定条件を読み出すとともに、ユーザによるフォトメトリック測定画面１１での設定を受け付ける。
【００８０】
その後、測定を開始する場合には、ユーザは、測定ボタン１１３をタッチする。分析処理部８０４は、分析設定処理部８０３が読み出した測定条件、及び、分析設定処理部８０３が受け付けた設定内容に基づいて、光源切替部３（回転部３１）の動作、及び、分光器４（分光器４の回折格子）の動作を制御する。これにより、一定の波長の光が分光器４から出射されて試料の測定が行われる。
なお、測定を行わない場合には、ユーザは、モード選択ボタン１１２をタッチして、操作表示部９にモード選択画面１０を再表示させる。
【００８１】
ユーザにより測定ボタン１１３がタッチされた後、測定が終了すると（ステップＳ１０４でＹＥＳ）、記憶処理部８０２は、記憶部７０にモード選択情報７０２を記憶させる（ステップＳ１０５）。具体的には、記憶処理部８０２は、測定モードごとでの連続選択回数をモード選択情報７０２として記憶部７０に記憶させる。この例では、記憶処理部８０２は、フォトメトリック測定モードが連続で１回選択されたという情報をモード選択情報７０２として記憶部７０に記憶させる。
【００８２】
また、表示処理部８０１は、記憶処理部８０２のモード選択情報７０２を読出し、その情報を所定の閾値と比較する。具体的には、表示処理部８０１は、モード選択情報７０２を読み出すことで、実施された測定モードが連続で何回選択されたかという情報を確認する。そして、表示処理部８０１は、その確認した情報を所定の閾値と比較する。なお、このときの閾値が第１閾値である。
【００８３】
この例では、表示処理部８０１は、記憶処理部８０２のモード選択情報７０２を読出し、フォトメトリック測定モードの連続選択回数が１回であることを確認する。そして、表示処理部８０１は、所定の閾値と確認した情報（１回という値）とを比較する。フォトメトリック測定モードの連続選択回数が閾値よりも小さい場合には（ステップＳ１０６でＮＯ）、記憶処理部８０２は、モード選択画面１０を操作表示部９に再表示させる。
【００８４】
そして、上記したステップＳ１０１からステップ１０６までの動作が繰り返されて、フォトメトリック測定モードが連続して実施される。このとき、記憶処理部８０２は、モード選択情報７０２を書き換えて、連続して実施された回数を記憶部７０に記憶させる。
【００８５】
一方、フォトメトリック測定モードの連続選択回数が閾値を超えると（ステップＳ１０６でＹＥＳ）、表示処理部８０１は、確認画面１１４をフォトメトリック測定画面１１内に表示させる（ステップＳ１０７）。
【００８６】
図６は、操作表示部９で表示される表示画面を示した図であって、フォトメトリック測定モードでの基本画面（フォトメトリック測定画面１１）において確認画面１１４が表示される状態を示している。
【００８７】
確認画面１１４は、連続選択回数が閾値を超えた測定モード（フォトメトリック測定モード）で分析を行うための設定を自動で行うか否かを確認するための画面である。具体的には、確認画面１１４には、フォトメトリック測定モードが所定回数だけ連続して選択された旨のメッセージ、及び、起動後にフォトメトリック測定モードに自動的に移行するか否かを確認する旨のメッセージが表示されている。また、確認画面１１４では、フォトメトリック測定モードへの自動設定を行うための移行ボタン１１５、及び、フォトメトリック測定モードへの自動設定を拒否するための移行拒否ボタン１１６が表示されている。
【００８８】
そして、ユーザは、確認画面１１４のメッセージを確認し、フォトメトリック測定モードへの自動設定を拒否する場合には、移行拒否ボタン１１６をタッチする（ステップＳ１０８でＮＯ）。この場合、表示処理部８０１は、モード選択画面１０を操作表示部９に再表示させる。
【００８９】
また、ユーザは、確認画面１１４のメッセージを確認し、フォトメトリック測定モードへの自動設定を行う場合には、移行ボタン１１５をタッチする（ステップＳ１０８でＹＥＳ）。この場合、分析設定処理部８０３は、フォトメトリック測定モードで分析を行うための設定を行う（ステップＳ１０９）。具体的には、分析設定処理部８０３は、測定モード情報７０１を読み出し、フォトメトリック測定モードでの測定のための測定条件を保持する。このようにして、分光光度計１における自動設定が完了する。
【００９０】
そして、分光光度計１における一連の測定動作が完了すると、電源スイッチがオフされる。その後、分光光度計１において再度電源スイッチがオンされると（再度起動されると）、表示処理部８０１は、モード選択情報７０２を読み出し、連続選択回数が閾値を超えている測定モード（自動設定となっている測定モード）を確認する。そして、表示処理部８０１は、連続選択回数が閾値を超えている測定モード（自動設定となっている測定モード）の基本画面を操作表示部９に表示させる。この例では、フォトメトリック測定モードが自動設定となっているため、表示処理部８０１は、フォトメトリック測定画面１１を操作表示部９に表示させる。また、分光光度計１がフォトメトリック測定モードとなる。
【００９１】
このように、分光光度計１では、複数の測定モードのうちのいずれかの測定モードが所定回数連続して選択されると、その測定モードで分析を行うように自動設定される。そして、次回の起動時において、モード選択画面１０が操作表示部９に表示されることなく、自動設定された測定モードの基本画面が操作表示部９に表示される。
また、例えば、ステップＳ１０２において、モード選択画面１０で定量測定ボタン１０３がタッチされた場合には、分光光度計１は、定量測定モードとなる。
【００９２】
図７は、分光光度計１の操作表示部９で表示される表示画面を示した図であって、定量測定モードでの基本画面を示している。
分光光度計１が定量測定モードとなった場合には、図７に示す定量測定画面１３が基本画面として操作表示部９に表示される。
定量測定画面１３では、パラメータ設定領域１３１と、モード選択ボタン１３２と、測定ボタン１３３と、ファイル選択ボタン１３４とが表示されている。
【００９３】
パラメータ設定領域１３１、モード選択ボタン１３２及び測定ボタン１３３のそれぞれは、上記したフォトメトリック測定画面１１におけるパラメータ設定領域１１１、モード選択ボタン１１２及び測定ボタン１１３のそれぞれに対応している。
ファイル選択ボタン１３４は、検量線の選択を開始するためのボタンである。
【００９４】
なお、ユーザは、定量測定モードにおいて検量線を選択する場合には、ファイル選択ボタン１３４をタッチする。表示処理部８０１は、操作表示部９において、複数の検量線からいずれかの検量線を選択するための選択画面（図示せず）を表示させる。この状態で、ユーザは、その選択画面において所望する検量線を選択する操作を行う。このとき、記憶処理部８０２は、記憶部７０に条件選択情報７０３を記憶させる。具体的には、記憶処理部８０２は、検量線のデータごとでの選択回数を条件選択情報７０３に含めるようにして、条件選択情報７０３を記憶部７０に記憶させる。また、記憶処理部８０２は、検量線のデータが選択されるたびに、記憶部７０の条件選択情報７０３を書き換える。
【００９５】
表示処理部８０１は、モード選択画面１０において定量測定モードが選択されるたびに、条件選択情報７０３を読出し、その情報を所定の閾値と比較する。具体的には、表示処理部８０１は、条件選択情報７０３を読み出すことで、各検量線が何回選択されたかという情報を確認する。さらに、表示処理部８０１は、その確認した情報を所定の閾値と比較し、選択回数が閾値を超える検量線のデータがある場合には、その検量線のデータを自動的に選択するか否かの確認の画面を定量測定画面１３に表示させる。
【００９６】
図８は、分光光度計１の操作表示部９で表示される表示画面を示した図であって、定量測定モードでの基本画面において確認画面１３５が表示される状態を示している。
【００９７】
確認画面１３５は、選択回数が閾値を超えた検量線のデータを自動的に選択するか否かを確認するための画面である。具体的には、確認画面１１４には、定量測定モードへの移行後に検量線のデータ（ファイル）を自動的に選択するか否かを確認する旨のメッセージが表示されている。また、確認画面１３５では、検量線のデータを自動で選択するための選択ボタン１３６、及び、検量線のデータの自動での選択を拒否するための選択拒否ボタン１３７が表示されている。
【００９８】
そして、ユーザは、確認画面１３５のメッセージを確認し、検量線のデータの自動での選択を拒否する場合には、選択拒否ボタン１３７をタッチし、検量線のデータの自動での選択を行う場合には、選択ボタン１３６をタッチする。
【００９９】
選択ボタン１３６がタッチされた場合には、記憶処理部８０２は、自動の選択を行う検量線のデータの情報を条件選択情報７０３に含めるようにして、条件選択情報７０３を書き換える。
【０１００】
その後、定量測定モードでの測定が完了すると、操作表示部９においてモード選択画面１０が表示される。そして、ユーザにより、モード選択画面１０において、再度、定量測定ボタン１０３がタッチされると、分析設定処理部８０３は、条件選択情報７０３を読出し、選択を行う検量線のデータを自動で選択する。そして、表示処理部８０１は、その検量線のデータを定量測定画面１３に表示させる。
【０１０１】
このように、定量測定モードにおいて、検量線のデータが所定回数以上選択されると、次回の定量測定モードにおいて、その検量線のデータが自動で選択されて表示される。
なお、上記した定量測定モードの場合と同様に、他の測定モードにおいて、各測定条件の選択回数に基づいて、操作表示部９の表示画面の表示態様が変化させられてもよい。
【０１０２】
４．作用効果
（１）第１実施形態によれば、分光光度計１は、操作表示部９と、記憶部７０と、制御部８０とを備えている。制御部８０は、表示処理部８０１、記憶処理部８０２、分析設定処理部８０３及び分析処理部８０４などとして機能する。分光光度計１において電源がオンされると、表示処理部８０１の制御により、モード選択画面１０が操作表示部９に表示される（図４のステップＳ１０１）。ユーザにより、モード選択画面１０においていずれかの測定モードが選択されると、その測定モードが選択された回数がモード選択情報７０２として記憶部７０に記憶される。そして、次回の起動時において、表示処理部８０１は、モード選択情報７０２を読み出し、モード選択情報７０２に基づいて、モード選択画面１０の表示態様を変化させる。
【０１０３】
そのため、ユーザの操作によらずに自動的にモード選択画面１０を変化させることができる。すなわち、モード選択画面１０を変化させるためのユーザによる操作を省くことができる。
その結果、分光光度計１における操作性を向上させることができる。
【０１０４】
（２）また、第１実施形態によれば、モード選択情報７０２には、測定モードが連続で選択された回数を表す情報が含まれている。そして、次回の起動時において、表示処理部８０１は、モード選択情報７０２を読み出し、測定モードが連続で選択された回数と閾値とを比較することでモード選択画面１０の表示態様を変化させる。
【０１０５】
そのため、分光光度計１において、各測定モードの使用頻度に応じてモード選択画面１０の態様を変化させることができる。
【０１０６】
（３）また、第１実施形態によれば、モード選択画面１０において、所定の測定モードの連続選択回数が閾値（第１閾値）を超えた場合には（ステップＳ１０６でＹＥＳ）、分析設定処理部８０３は、その測定モードで分析を行うための設定（自動設定）を行う（ステップＳ１０９）。また、次回の起動時において、表示処理部８０１は、モード選択画面１０を表示させずに、連続選択回数が閾値を超えている測定モードの基本画面を操作表示部９に表示させる。
【０１０７】
そのため、使用頻度の高い測定モードで分析を行う設定を自動的に行うことができる。また、次回の起動時において、モード選択画面１０を表示させない設定を自動的に行うことができる。
その結果、設定のためのユーザの一連の操作を省くことができ、操作性を向上できる。
【０１０８】
（４）また、第１実施形態によれば、モード選択画面１０において、所定の測定モードの連続選択回数が閾値（第１閾値）を超えた場合には（ステップＳ１０６でＹＥＳ）、表示処理部８０１は、確認画面１１４をフォトメトリック測定画面１１内に表示させる（ステップＳ１０７）。そして、ユーザにより移行ボタン１１５がタッチされた場合に（ステップＳ１０８でＹＥＳ）、分析設定処理部８０３は、フォトメトリック測定モードで分析を行うための設定（自動設定）を行う（ステップＳ１０９）。
【０１０９】
そのため、確認画面１１４を表示させることで、ユーザに対して使用頻度の高い測定モードへの自動設定を行うか否かを選択させることができる。
その結果、ユーザの意思に反して自動設定が行われることを防止できる。
【０１１０】
（５）また、第１実施形態によれば、各測定モードにおいて、測定条件が選択された場合には、その選択回数に基づいて、操作表示部９の表示画面の表示態様が変化させられる。例えば、定量測定モードにおいて、検量線のデータが所定回数以上選択されると、定量測定画面１３において確認画面１３５が表示される。そして、ユーザにより、選択ボタン１３６をタッチされると、次回の定量測定モードにおいて、その検量線のデータが自動で選択されて表示される。
【０１１１】
そのため、各測定モードにおいて、ユーザの操作によらずに自動的に測定条件に関する表示内容を表示させることができる。すなわち、各測定モードにおいて、測定条件に関する表示内容を表示させるためのユーザによる操作を省くことができる。
その結果、分光光度計１における操作性を向上させることができる。
【０１１２】
５．第２実施形態
上記した第１実施形態では、モード選択画面１０において、所定の測定モードの連続選択回数が閾値（第１閾値）を超えた場合には、表示処理部８０１は、モード選択画面１０を表示させずに、連続選択回数が閾値を超えている測定モードの基本画面を操作表示部９に表示させる。
【０１１３】
対して、第２実施形態では、モード選択画面１０において、所定の測定モードの連続選択回数が閾値（第１閾値）を超えた場合には、モード選択画面１０における表示態様を変化させる。
【０１１４】
具体的には、第２実施形態では、モード選択画面１０における測定モードの連続選択回数が閾値を超えると（ステップＳ１０６でＹＥＳ）、表示処理部８０１は、その測定モードに対応する測定ボタンの表示態様を変化させて強調表示を行う。
【０１１５】
図９は、本発明の第２実施形態に係る分光光度計１における操作表示部９の表示画面を示した図であって、モード選択画面１０において強調表示が行われる状態を示している。
【０１１６】
例えば、モード選択画面１０において、フォトメトリック測定モードの連続選択回数が閾値を超えた場合には、図９に示すように、表示処理部８０１は、フォトメトリック測定ボタン１０１の色を変えるなどして、フォトメトリック測定モードを強調表示させる。な、表示処理部８０１は、色を変える以外の方法で測定モードの強調表示を行ってもよい。例えば、表示処理部８０１は、測定モードのボタンの文字の太さを変えたり、測定モードのボタンの外縁を際立たせたりしてもよい。
【０１１７】
これにより、モード選択画面１０を確認したユーザは、フォトメトリック測定モードの使用頻度が高いことを認識できる。
【０１１８】
このように、第２実施形態によれば、モード選択画面１０においていずれかの測定モードが連続で選択された回数が閾値（第１閾値）を超えた場合には、表示処理部８０１は、その測定モードをモード選択画面１０において強調表示させる。
そのため、ユーザに対して、モード選択画面１０において使用頻度の高い測定モードを認識させることができる。
【０１１９】
６．第３実施形態
上記した第１実施形態では、モード選択画面１０において、所定の測定モードの連続選択回数が閾値を超えた場合に、表示処理部８０１は、モード選択画面１０の表示態様を変化させる。
【０１２０】
対して、第３実施形態では、モード選択画面１０において、所定の測定モードの累積での選択回数が閾値を超えた場合に、表示処理部８０１は、モード選択画面１０の表示態様を変化させる。
【０１２１】
具体的には、第３実施形態では、所定の測定モードが選択された状態で測定が終了すると、ステップＳ１０５において、測定モードごとでの選択された累積回数をモード選択情報７０２として記憶部７０に記憶させる。
【０１２２】
また、表示処理部８０１は、モード選択情報７０２を読み出すことで、実施された測定モードが累積で何回選択されたかという情報（累積選択回数）を確認する。そして、表示処理部８０１は、その確認した情報を所定の閾値と比較する。なお、このときの閾値が第２閾値である。
【０１２３】
例えば、ステップＳ１０６において、フォトメトリック測定モードの累積選択回数が閾値を超えた場合であって、さらに、フォトメトリック測定モードの累積選択回数が他の測定モードよりも多い場合には、ステップＳ１０７において、表示処理部８０１は、図１０に示す確認画面１１７をフォトメトリック測定画面１１内に表示させる。
【０１２４】
図１０は、本発明の第３実施形態に係る分光光度計１における操作表示部９の表示画面を示した図であって、フォトメトリック測定モードでの基本画面（フォトメトリック測定画面１１）において確認画面１１７が表示される状態を示している。
【０１２５】
確認画面１１７は、累積選択回数が閾値を超えた測定モード（フォトメトリック測定モード）で分析を行うための設定を自動で行うか否かを確認するための画面である。この第３実施形態では、フォトメトリック測定画面１１において、上記した確認画面１１４に代えて確認画面１１７が表示される。
【０１２６】
確認画面１１７には、フォトメトリック測定モードが所定回数だけ累積で選択された旨のメッセージ、及び、起動後にフォトメトリック測定モードに自動的に移行するか否かを確認する旨のメッセージが表示されている。また、確認画面１１７では、フォトメトリック測定モードへの自動設定を行うための移行ボタン１１８、及び、フォトメトリック測定モードへの自動設定を拒否するための移行拒否ボタン１１９が表示されている。
【０１２７】
そして、上記した第１実施形態と同様に、ユーザにより、移行ボタン１１８がタッチされた場合に、フォトメトリック測定モードで分析を行うための設定（自動設定）を行う（ステップＳ１０９）。また、次回の起動時において、モード選択画面１０が操作表示部９に表示されることなく、フォトメトリック測定画面１１が操作表示部９に表示される。
【０１２８】
このように、第３実施形態によれば、表示処理部８０１は、各測定モードが選択された累積回数に基づいて、前記モード選択画面の表示態様を変化させる。
そのため、分光光度計１において、各測定モードの累積での使用頻度に応じてモード選択画面の態様を変化させることができる。
【０１２９】
また、第３実施形態によれば、モード選択画面１０において、所定の測定モードの累積選択回数が閾値（第２閾値）を超えており、その測定モードの累積選択回数が最も多い場合には、分析設定処理部８０３は、その測定モードで分析を行うための設定（自動設定）を行う。また、次回の起動時において、表示処理部８０１は、モード選択画面１０を表示させずに、累積選択回数が閾値を超えている測定モードの基本画面を操作表示部９に表示させる。
【０１３０】
そのため、累積での使用頻度の高い測定モードで分析を行う設定を自動的に行うことができる。また、次回の起動時において、モード選択画面１０を表示させない設定を自動的に行うことができる。
その結果、設定のためのユーザの一連の操作を省くことができ、操作性を向上できる。
【０１３１】
また、第３実施形態によれば、モード選択画面１０において、所定の測定モードの累積選択回数が閾値（第２閾値）を超えた場合には、表示処理部８０１は、確認画面１１７をフォトメトリック測定画面１１内に表示させる。そして、ユーザにより移行ボタン１１８がタッチされた場合に、分析設定処理部８０３は、その測定モードで分析を行うための設定（自動設定）を行う。
【０１３２】
そのため、確認画面１１７を表示させることで、ユーザに対して累積での使用頻度の高い測定モードへの自動設定を行うか否かを選択させることができる。
その結果、ユーザの意思に反して自動設定が行われることを防止できる。
また、第３実施形態において、累積での選択回数が他の測定モードよりも多い測定モードを、上記した第２実施形態と同様に強調表示してもよい。
【０１３３】
例えば、モード選択画面１０において、フォトメトリック測定モードの累積選択回数が閾値を超えた場合には、表示処理部８０１は、フォトメトリック測定ボタン１０１の色を変えるなどして、フォトメトリック測定モードを強調表示させてもよい。
このようにすれば、ユーザに対して、モード選択画面１０において累積での使用頻度の高い測定モードを認識させることができる。
【０１３４】
７．第４実施形態
上記した第１実施形態では、モード選択画面１０において、所定の測定モードの連続選択回数が閾値を超えた場合に、モード選択画面１０の表示態様が変化させられる。
【０１３５】
対して、第４実施形態では、所定の期間ごとに各測定モードが選択された回数を確認し、各期間において各測定モードが選択された回数に基づいて、モード選択画面１０の表示態様が変化させられる。
【０１３６】
具体的には、第４実施形態では、所定の測定モードが選択された状態で測定が終了すると、ステップＳ１０５において、所定の期間中における測定モードごとでの選択された回数をモード選択情報７０２として記憶部７０に記憶させる。所定の期間は、例えば、数週間や、数カ月の期間であってもよい。
【０１３７】
また、表示処理部８０１は、モード選択情報７０２を読み出すことで、実施された測定モードが所定期間中に何回選択されたかという情報（選択回数）を確認する。そして、表示処理部８０１は、その確認した情報を所定の閾値と比較する。なお、このときの閾値が第３閾値である。
【０１３８】
例えば、ステップＳ１０６において、所定期間中におけるフォトメトリック測定モードの選択回数が閾値を超えた場合であって、さらに、フォトメトリック測定モードの選択回数が他の測定モードよりも多い場合には、ステップＳ１０７において、表示処理部８０１は、図１１に示す確認画面１２０をフォトメトリック測定画面１１内に表示させる。
【０１３９】
図１１は、本発明の第４実施形態に係る分光光度計１における操作表示部９の表示画面を示した図であって、フォトメトリック測定モードでの基本画面（フォトメトリック測定画面１１）において確認画面１２０が表示される状態を示している。
【０１４０】
確認画面１２０は、所定期間中での選択回数が閾値を超えた測定モード（フォトメトリック測定モード）で分析を行うための設定を自動で行うか否かを確認するための画面である。この第４実施形態では、フォトメトリック測定画面１１において、上記した確認画面１１４に代えて確認画面１２０が表示される。
【０１４１】
確認画面１２０には、フォトメトリック測定モードが所定期間中に所定回数だけ選択された旨のメッセージ、及び、次に期間において起動後にフォトメトリック測定モードに自動的に移行するか否かを確認する旨のメッセージが表示されている。また、確認画面１２０では、フォトメトリック測定モードへの自動設定を行うための移行ボタン１２１、及び、フォトメトリック測定モードへの自動設定を拒否するための移行拒否ボタン１２２が表示されている。
【０１４２】
そして、上記した第１実施形態と同様に、ユーザにより、移行ボタン１２１がタッチされた場合に、フォトメトリック測定モードで分析を行うための設定（自動設定）を行う（ステップＳ１０９）。また、次の期間中の起動時において、モード選択画面１０が操作表示部９に表示されることなく、フォトメトリック測定画面１１が操作表示部９に表示される。
【０１４３】
このように、第４実施形態によれば、表示処理部８０１は、所定の期間中における各測定モードの選択回数に基づいて、モード選択画面１０の表示態様を変化させる。
そのため、分光光度計１において、各期間における各測定モードの使用頻度に応じてモード選択画面１０の態様を変化させることができる。
【０１４４】
また、第４実施形態によれば、モード選択画面１０において、所定期間中に所定の測定モードの選択回数が閾値（第３閾値）を超えており、その測定モードの選択回数が最も多い場合には、分析設定処理部８０３は、次の期間においてその測定モードで分析を行うための設定（自動設定）を行う。また、次の期間の起動時において、表示処理部８０１は、モード選択画面１０を表示させずに、選択回数が閾値を超えている測定モードの基本画面を操作表示部９に表示させる。
【０１４５】
そのため、次の期間において使用頻度の高い測定モードで分析を行う設定を自動的に行うことができる。また、次の期間での起動時において、モード選択画面を表示させない設定を自動的に行うことができる。
その結果、設定のためのユーザの一連の操作を省くことができ、操作性を向上できる。
【０１４６】
また、第４実施形態によれば、モード選択画面１０において、所定期間中に所定の測定モードの選択回数が閾値（第３閾値）を超えた場合には、表示処理部８０１は、確認画面２０をフォトメトリック測定画面１１内に表示させる。そして、ユーザにより移行ボタン１２１がタッチされた場合に、分析設定処理部８０３は、次の期間においてその測定モードで分析を行うための設定（自動設定）を行う。
【０１４７】
そのため、確認画面１２０を表示させることで、ユーザに対して各期間での使用頻度の高い測定モードへの自動設定を行うか否かを選択させることができる。
その結果、ユーザの意思に反して自動設定が行われることを防止できる。
【０１４８】
また、第４実施形態において、所定期間中の選択回数が他の測定モードよりも多い測定モードを、次の期間において上記した第２実施形態と同様に強調表示してもよい。
例えば、所定期間中において、フォトメトリック測定モードの選択回数が閾値を超えた場合には、次の期間において、表示処理部８０１は、フォトメトリック測定ボタン１０１の色を変えるなどして、フォトメトリック測定モードを強調表示させてもよい。
【０１４９】
このようにすれば、ユーザに対して、モード選択画面１０において各期間での使用頻度の高い測定モードを認識させることができる。
【０１５０】
８．変形例
以上の実施形態では、本発明は分光光度計１に用いられるとして説明した。しかし、本発明は、分光光度計以外の分析装置に用いられてもよい。
【符号の説明】
【０１５１】
１      分光光度計
９      操作表示部
１０    モード選択画面
７０    記憶部
８０    制御部
１１４，１１７，１２０，１３５  確認画面
【図１】
2019152571.tif 000003
【図２】
2019152571.tif 000004
【図３】
2019152571.tif 000005
【図４】
2019152571.tif 000006
【図５】
2019152571.tif 000007
【図６】
2019152571.tif 000008
【図７】
2019152571.tif 000009
【図８】
2019152571.tif 000010
【図９】
2019152571.tif 000011
【図１０】
2019152571.tif 000012
【図１１】
2019152571.tif 000013